(57)【要約】【課題】傘を保管装置に保管する際に、傘の石突きから滴り落ちる水滴によって先に保管された傘の把手が濡れるのを防止する。【解決手段】水受け部１の奥側の左右両端部に支柱２，２を立設する。支柱２，２の上端部間には、長手方向を左右方向に向けて水平に配置された保持部材の両端部を固定する。この保持部材４の両端部及び保持部材４の長さを３等分する箇所には、長手方向を前後方向に向けて水平に配置された支持部材５の基端部をそれぞれ固定する。左右に隣接する支持部材５，５の先端部と水受け部１の前端部とによって区画される前端面部６を開放する。これにより、前端面部６から傘を支持部材５，５間に挿入することができるようにする。各支持部材５には、傘の把手又はその近傍の中軸を保持する保持錠８を設ける。【選択図】　　　　図１
2004081832.tif 000002
【特許請求の範囲】
【請求項１】
上下に立設された支柱と、長手方向を上下方向と交差する方向に向けて配置され、上記支柱に基端部が支持された複数の支持部材と、各支持部材にその長手方向に沿って設けられ、傘の被保持部を保持する複数の保持錠とを備えた傘保管装置において、
互いに隣接する支持部材の間に上記支持部材の先端側から傘を上下逆に立てた状態で挿入することができるよう、互いに隣接する支持部材の長手方向の先端部間に存する端面部を上記支持部材の長手方向に向かって開放したことを特徴とする傘保管装置。
【請求項２】
上記端面部のうち、少なくとも上記支持部材の先端部における高さのほぼ半分より上側の部分を開放したことを特徴とする請求項１に記載の傘保管装置。
【請求項３】
上記複数の支持部材を上記支柱から同一側に向けて互いに平行に配置したことを特徴とする請求項１又は２に記載の傘保管装置。
【請求項４】
上記複数の支持部材を、その長手方向を前後方向に向けて配置し、左右方向に隣接する二つの支持部材の前端部間に存する前端面部を開放したことを特徴とする請求項３に記載の傘保管装置。
【請求項５】
上記複数の支持部材を後方へ向かって上り勾配をなすように傾斜させたことを特徴とする請求項４に記載の傘保管装置。
【請求項６】
上記複数の支持部材を、その長手方向を左右方向に向けて配置し、前後方向に隣接する二つの支持部材の左右の両端部間に存する両端面部の少なくとも一方を開放したことを特徴とする請求項３に記載の傘保管装置。
【請求項７】
上記複数の支持部材のうち、前側の支持部材を低く、後側の支持部材を高く配置したことを特徴とする請求項６に記載の傘保管装置。
【請求項８】
上記保持錠が、上記傘の被保持部が上下に挿通される保持凹部が形成された錠本体と、この錠本体に上記保持凹部を閉じた閉位置と上記保持凹部を開いた開位置との間を変位可能に設けられた開閉体とを有し、上記保持凹部が上記支持部材の長手方向とほぼ直交する水平方向に向かって開放され、上記開閉体が、上記支持部材の長手方向における上記保持凹部の一側部近傍に配置され、開時には上記保持凹部の開放方向に向かって上記錠本体から突出させられていることを特徴とする請求項１〜７のいずれかに記載の傘保管装置。
【請求項９】
上記保持錠が、上記傘の被保持部が上下に挿通される保持凹部が形成された錠本体と、この錠本体に上記保持凹部を閉じた閉位置と上記保持凹部を開いた開位置との間を変位可能に設けられた開閉体とを有し、上記保持凹部が上記支持部材の長手方向に向かって開放され、上記開閉体が上記錠本体に出没可能に設けられ、開時には上記錠本体内に収容され、閉時には上記錠本体から突出して上記保持凹部の開放部を閉じることを特徴とする請求項１〜７のいずれかに記載の傘保管装置。
【発明の詳細な説明】
【０００１】
【発明の属する技術分野】
この発明は、例えば水平に配置された複数の支持部材にそれぞれ複数の保持錠を設け、各保持錠に傘の把手又はその近傍の中軸等の被保持部を保持させるようにした傘保管装置に関する。
【０００２】
【従来の技術】
一般に、傘保管装置は、次のように構成されている。すなわち、深さの浅い長方形状をなす水受けの四隅部には、支柱がそれぞれ立設されており、各支柱の上端部には、水平に配置された４本の保持部材の各端部が支持されている。この４本の保持部材により、上方から見た形状が長方形をなす枠体が構成されている。この枠体を構成する４本の保持部材のうち、前後方向又は左右方向に対向する一対の保持部材間には、複数の支持部材が水平に掛け渡されている。各支持部材には、複数の保持錠が支持部材の長手方向に並べて配置されている。
【０００３】
このように構成された傘保管装置に傘を保管する場合には、まず、傘の上下を逆にした状態で傘全体を保持部材の上方へ移動させる。次に、傘を保持させようとする保持錠の近傍まで水平方向へ移動させる。その後、傘を下方へ移動させ、傘の把手又はその近傍の中軸等の被保持部を保持錠の凹部と対向させる。そして、被保持部を凹部に挿入する。その後、保持錠の開閉体を閉位置に変位させる。これにより、傘が保持錠に取り外し不能に保持される。開閉体を閉位置に変位させると、保持錠の鍵が取り外し可能になる。鍵を保持錠から取り外すことにより、傘の盗難が防止される。
【０００４】
【発明が解決しようとする課題】
上記従来の傘保管装置においては、４本の保持部材が枠体を構成しているので、傘の被保持部を保持錠によって保持させる場合には、傘を各保持部材によって構成される枠体より一旦上方へ移動させ、その後枠体内に移動させる必要がある。ところが、傘を保持部材より上方へ移動させると、傘の上端部たる石突きの先端（上下を逆にした傘の下端）から雫が落ち、先に保管された傘の把手等を濡らしてしまうという問題があった。また、身長の低い子供にとっては、傘全体を保持部材より上方へ移動させることが困難であり、傘保管装置を容易に利用することができないという問題があった。
【０００５】
【課題を解決するための手段】
この発明は、上記の問題を解決するためになされたもので、上下に立設された支柱と、長手方向を上下方向と交差する方向に向けて配置され、上記支柱に基端部が支持された複数の支持部材と、各支持部材にその長手方向に沿って設けられ、傘の被保持部を保持する複数の保持錠とを備えた傘保管装置において、互いに隣接する支持部材の間に上記支持部材の先端側から傘を上下逆に立てた状態で挿入することができるよう、互いに隣接する支持部材の長手方向の先端部間に存する端面部を上記支持部材の長手方向に向かって開放したことを特徴としている。この場合、上記端面部のうち、少なくとも上記支持部材の先端部における高さのほぼ半分より上側の部分を開放することが望ましい。
上記複数の支持部材は、上記支柱から同一側に向けて互いに平行に配置することが望ましい。
上記複数の支持部材を、その長手方向を前後方向に向けて配置し、左右方向に隣接する二つの支持部材の前端部間に存する前端面部を開放してもよい。その場合には、上記複数の支持部材を後方へ向かって上り勾配をなすように傾斜させるのが望ましい。
上記複数の支持部材を、その長手方向を左右方向に向けて配置し、前後方向に隣接する二つの支持部材の左右の両端部間に存する両端面部の少なくとも一方を開放してもよい。その場合には、上記複数の支持部材のうち、前側の支持部材を低く、後側の支持部材を高く配置するのが望ましい。
上記保持錠が、上記傘の被保持部が上下に挿通される保持凹部が形成された錠本体と、この錠本体に上記保持凹部を閉じた閉位置と上記保持凹部を開いた開位置との間を変位可能に設けられた開閉体とを有し、上記保持凹部が上記支持部材の長手方向とほぼ直交する水平方向に向かって開放され、上記開閉体が、上記支持部材の長手方向における上記保持凹部の一側部近傍に配置され、開時には上記保持凹部の開放方向に向かって上記錠本体から突出させられていることが望ましい。
上記保持錠が、上記傘の被保持部が上下に挿通される保持凹部が形成された錠本体と、この錠本体に上記保持凹部を閉じた閉位置と上記保持凹部を開いた開位置との間を変位可能に設けられた開閉体とを有し、上記保持凹部が上記支持部材の長手方向に向かって開放され、上記開閉体が上記錠本体に出没可能に設けられ、開時には上記錠本体内に収容され、閉時には上記錠本体から突出して上記保持凹部の開放部を閉じるように構成することが望ましい。
【０００６】
【発明の実施の形態】
以下、この発明の実施の形態について図１〜図１８を参照して説明する。
図１〜図５は、この発明の第１実施の形態を示す。この実施の形態の傘保管装置Ａは、水受け部１を有している。水受け部１は、この傘保持装置Ａによって保管された傘（図示せず）の上端部（保管された状態では下端部）に設けられた石突きから滴り落ちる雫を受けるものであり、上部が開口した深さの浅い容器状をなしている。水受け部１は、左右に長い長方形状をなしているが、前後に長い長方形状、正方形状その他の形状にしてもよい。水受け部１の下面の４隅部には、ストッパ付きのキャスタＫが設けられている。したがって、傘保持装置１は、容易に移動させることができるとともに、所望の位置に停止させることができる。
【０００７】
水受け部１の上面の奥側における左右の両端部には、支柱２がそれぞれ立設されている。支柱２，２の中間部間には、補強用の連結棒材３が掛け渡されており、上端部間には、長手方向を左右方向に向けて水平に配置された保持部材４が掛け渡されている。保持部材４は、支柱２，２と一体に形成されているが、別体に形成して支柱２，２の上端部に固定してもよい。保持部材４の前面には、複数の支持部材５の各基端部が設けられている。支持部材５は、この実施の形態では４つ設けられているが、４つ以外の複数個設けてもよい。また、支持部材５は、保持部材４と一体に設けられているが、別体に形成して保持部材４の前面に固定してもよい。４つの支持部材５のうちの２つは、保持部材４の両端部に配置されている。残りの二つの支持部材５は、保持部材４の長さを３等分する位置に配置されている。
【０００８】
各支持部材５は、保持部材４の前面から前方へ向かって水平に延びており、その先端面（前面）は水受け部１の前面と前後方向においてほぼ同一位置に位置している。各支持部材５の先端部は、従来の傘保管装置と異なり保持部材４によって支持されることがなく、自由端となっている。したがって、水受け１の前側の端面と、左右に隣接する二つの支持部材５，５の各先端面とによって区画される前端面部（図１において想像線で示す部分；端面部）６は、前方に向かって開放されている。なお、水受け部１の上面から支持部材５までの高さは、市販されている通常の傘の把手から石突きの先端までの長さとほぼ同等か、それより若干高く設定されている。したがって、通常の長さを有する傘であれば、上下を逆に向きにして前端面部６から左右に隣接する二つの支持部材５，５間に挿入することができる。
【０００９】
各支持部材５の先端部を支持せずに自由端としておくと、支持部材５の強度が低下する。そこで、左右方向の両端部に配置された各支持部材５の先端面と支柱２の中間部との各間、及び左右方向の中間部に配置された各支持部材５の先端面と連結棒材３との各間には、補強部材７がそれぞれ設けられている。これにより、各支持部材５が補強されている。補強部材７は、それが設けられた支持部材５と左右方向において同一位置に配置されている。したがって、前端面部６から傘を支持部材５，５間に挿入するときに補強部材７が邪魔になることはない。
【００１０】
各支持部材５の左右の両側部には、複数の保持錠８が支持部材５の長手方向に並んで設けられている。保持錠８は、図５に示すように、本体部９を有している。この本体部９の背面部には、当該背面部を傘保管装置１の前後方向に横断する取り付け凹部９ａが形成されている。この取り付け凹部９ａに支持部材５の側部が嵌め込まれることによって保持錠８が支持部材５に支持され、さらにビス（図示せず）等によって支持部材５に固定されている。保持錠８については、これに代えて他の周知の保持錠を用いてもよく、ビス以外の他の手段で支持部材５に取り付けてもよい。
【００１１】
本体部９の前面部には、当該前面部を上下方向に縦断する保持凹部９ｂが形成されている。この保持凹部９ｂは、例えば「Ｊ」字状をなす把手を有する傘であれば、把手（被保持部）の直線状をなす上端部（保管状態では下端部）が挿脱可能に挿入され、あるいは折り畳み傘のように把手が太い場合には、把手から上方（保管状態では下方）へ延びる中軸（被保持部）の把手近傍部分が挿脱可能に挿入される。本体部９の前面部には、開閉体１０が設けられている。開閉体１０は、本体部９の前面部の保持凹部９ｂに対して前後に隣接する箇所に配置されている。すなわち、支持部材５の右側部に設けられた保持錠８では、開閉体１０が保持凹部９ｂより後方に設けられ、支持部材５の左側に設けられた保持錠８では、開閉体１０が保持凹部９ｂより前方に設けられている。これは、支持部材５の左右に配置された保持錠８，８として同一の保持錠を用いたことによるものである。
【００１２】
開閉体１０は、例えば実開平４−２０５８５号公報に記載された保持錠の開閉体と同様に、図５において実線で示す開位置と想像線で示す閉位置との間を出没回動可能に設けられている。開位置に位置した開閉体１０は、把手又は中軸が保持凹部９ｂの底面にほぼ突き当たるまで挿入され、保持凹部９ｂの底面から突出した操作突起（図示せず）が把手又は中軸等の被保持部によって所定の位置まで底面側に押し込まれると、本体部９の内部に設けられた付勢手段に抗して閉位置まで閉回動変位させられる。そして、開閉体１０は、閉位置まで回動変位すると、本体部９内に設けられたラッチ機構（図示せず）によって閉位置に係止される。この状態では、傘の被保持部が保持凹部９ｂから取り外し不能になる。しかも、ラッチ機構を解除する鍵１１が図５に示す状態から一方向（例えば、時計方向）へほぼ９０°回動され、本体部９の上面に設けられた鍵穴（図示せず）から抜き取り可能になる。鍵１１を鍵穴から抜き出すことにより、傘の盗難が防止される。その一方、鍵穴に鍵１１を差し込んで他方向へほぼ９０°回動させると、ラッチ機構による開閉体１０の係止状態が解除され、開閉体１０が付勢手段によって開位置まで開回動変位させられる。この状態では、傘の被保持部が保持凹部９ｂから抜き出し可能になる一方、鍵１１が鍵穴から抜き出し不能になる。
【００１３】
上記構成の傘保管装置Ａに傘を保管する場合には、まず、傘を、その上下を逆にした状態で左右に隣接する支持部材５，５間に挿入し、各支持部材５，５の互いに側部対向する側部にそれぞれ取り付けられた保持錠８，８間に挿入する。このとき、支持部材５，５より上側は勿論のこと、支持部材５，５の先端部及び水受け１の上面の先端部とによって区画される前端面部６全体が支持部材５の長手方向における前方に向かって開放されているから、上下逆にした傘の少なくとも把手より下側の部分を保持部材４、支持部材５及び保持錠８から上側に持ち上げることなく、それらより下側に位置させた状態で保持支持部材５，５及び保持錠８，８間に挿入することができる。このように、傘全体を保持部材４、支持部材５及び保持錠８より上方へ移動させる必要がないので、傘の石突きの先端部から雫が滴り落ちたとしても、その雫によって先に保管されている傘の把手等が濡れるという不具合を未然に防止することができる。しかも、身長の低い子供でも傘を支持部材５，５間及び保持錠８，８間に容易に挿入することができる。
【００１４】
傘を保持錠８，８に挿入したら、開状態になっている保持錠８の保持凹部９ｂにその前面開放部から傘の被保持部を挿入する。この場合、開閉体１０が保持凹部９ｂの後方に配置されているならば、傘の被保持部を開閉体１０にほぼ突き当たるまで傘を支持部材５，５間に挿入することにより、被保持部を保持凹部９ｂの開放部と対向させることができる。それによって、被保持部を保持凹部９ｂに容易に挿入することができる。それ故、開閉体１０については、傘の挿入方向（開放された前面部６から奥側へ向かう方向）において保持凹部９ｂより奥側に配置することが望ましい。ただし、これは、開閉体１０がその開時に保持凹部９ｂが形成された本体部９の前面から前方へ、つまり傘の挿入方向と交差する方向へ突出していることを前提とする。なお、開閉体１０が保持凹部９ｂの前方に配置されている保持錠８に傘を保持させる場合には、被保持部が開閉体１０を一旦通過するまで傘を挿入した後、傘を前端面部６側に戻し、開閉体１０にほぼ突き当てる。そして、保持凹部９ｂに被保持部を挿入する。
【００１５】
傘の被保持部を保持凹部９ｂにその底面側へ向かって所定の深さまで挿入すると、操作突起が被保持部によって保持凹部９ｂの底面側へ押圧移動させられる。すると、開閉体１０が閉位置まで変位する。この結果、被保持部が保持凹部９ｂに脱出不能に保持される。その後、鍵１１を鍵穴から抜き出して傘保管装置Ａに対する傘の保管作業を終了する。
【００１６】
傘保管装置Ａに保管された傘を取り出す際には、鍵穴に鍵１１を差し込んで閉位置から開位置まで回動させる。すると、開閉体１０が開位置まで回動変位して保持凹部９ｂを開く。この結果、被保持部が保持凹部９ｂの前面開放部から脱出可能になる。被保持部を保持凹部９ｂの前面開放部から抜き出したら、傘を前方へ移動させ、支持部材５，５の間から前端面部６を通して傘保管装置Ａの外側へ移動させる。これにより、傘を傘保管装置Ａから取り出すことができる。なお、鍵１１を開位置に回動させると、操作突起は傘を保管する前の元の位置に復帰する。
【００１７】
次に、この発明の他の実施の形態について説明する。なお、以下の実施の形態に関しては、上記の実施の形態と異なる構成部分についてのみ説明することとし、同様な構成部分には同一符号を付してその説明を省略する。
【００１８】
図６〜図９は、この発明の第２実施の形態を示す。この実施の形態の傘保管装置Ｂにおいては、上記実施の形態の補強部材７に代えて、支柱１２が設けられている。したがって、支柱１２は、支持部材５と同数の４本用いられている。各支柱１２は、水受け部１の上面の前端部に立設されており、各支持部材５と左右方向において同一位置に配置されている。各支柱１２の上端部は、支持部材５の前端部に連結されている。したがって、この傘保管装置Ｂにおいては、前端面部６が水受け部１の前端部、左右に隣接する支持部材５，５の各前端部、及び当該支持部材５，５の前端部に連結された二つの支柱１２，１２によって区画されている。なお、各支柱１２は、この傘保管装置Ｂでは支持部材５と一体に設けられているが、支持部材５と別体に形成し、接着剤又はボルト等によって支持部材５に固定してもよい。
【００１９】
水受け部１の背面、支柱２，２の背面及び保持部材４の後端面には、多数の小孔を有するパンチボード１３が固定されている。このパンチボード１３により、水受け部１、支柱２，２及び保持部材４によって区画される後面部が閉じられている。水受け部１の左右方向の両端部に配置された支柱２，２と支柱１２，１２との各間、及び水受け部１の左右方向の中間部に配置された支柱１２，１２とパンチボード１３との各間には、支持部材５と平行に延びる補強棒材１４がそれぞれ設けられている。パンチボード１３は、前述した第１実施の形態の傘保管装置Ａに用いてもよい。
【００２０】
図１０〜図１３は、この発明の第３実施の形態を示す。この実施の形態の傘保管装置Ｃにおいては、水受け部１の上面の左右の両側部に、支柱２が３本宛て立設されている。３本の支柱２は、水受け部１の両側部の前後方向における両端部と中央部とにそれぞれ配置されている。左右方向において対向する２本の支柱２，２の上端部間には、支持部材５が水平に掛け渡されている。したがって、この傘保持装置Ｃにおいては、支持部材５が３つ用いられており、各支持部材５は、その長手方向を左右方向に向け、かつ前後方向に互いに離れて配置されている。
【００２１】
水受け部１の上面の左右方向における一側部（図１０において右側部）、同一側部に配置された前後に隣接する二つの支柱２，２、及びこの支柱２，２にそれぞれ支持された支持部材５，５の一端部（右端部）によって右側端面部（端面部）１５が区画され、水受け部１の上面の他側部、同他側部に配置された前後に隣接する二つの支柱２，２、及びこの支柱２，２にそれぞれ支持された支持部材５，５の他端部（左端部）によって左側端面部（端面部）１６が区画されている。各側端面部１５，１６は、支持部材５の長手方向の前方、つまり左右方向に向かって開放されている。したがって、この傘保管装置Ｃによれば、傘を支持部材５，５間に左右いずれの側からも挿入することができる。勿論、側端面部１５，１６の一方だけを開放し、他方を閉じてもよい。
【００２２】
左右に隣接する支柱２，２の中間部間には、連結部材１７が設けられており、それによって支柱２が補強されている。支柱２をより補強するために、図１０において想像線で示すように、左右に隣接する支柱２，２の間に連結部材１８を設けてもよい。ただし、連結部材１８を設けると、傘を支持部材５，５間に挿入するときに、傘を連結部材１８より上まで移動させる必要がある。そこで、連結部材１８については、支柱２の補強をなし得る範囲においてできる限り低く配置するのが望ましく、通常は支柱２の高さのほぼ中央か、それより若干低い位置に配置される。
【００２３】
図１４は、この発明の第４実施の形態の要部を示す。この実施の形態は、上記傘保管装置Ａを変形させたものである。この実施の形態においては、支持部材５が基端部において屈曲させられている。各支持部材５の基端部は、保持部材４と直交した状態で保持部材４に支持されている。したがって、各支持部材５の屈曲部より先端側の部分は、保持部材４に対して支持部材５の屈曲角度の分だけ傾斜した状態で前方に延びており、互いに平行になっている。そして、支持部材５の屈曲部より先端側の部分の両側部に保持錠８がそれぞれ設けられている。
【００２４】
図１５は、この発明の第５実施の形態の要部を示す。この実施の形態も、上記傘保管装置Ａを変形させたものである。この実施の形態においては、各支持部材５の基端部が、保持部材４に上下方向に延びる軸線を中心として回動可能に支持されている。したがって、各支持部材５は、互いに平行にすることも可能であるが、図１５に示すように、隣接する支持部材５，５の間隔が先端側へ向かうにしたがって広がるようにすることも可能であり、逆に狭くなるようにすることも可能である。各支持部材５は、所望の回動位置に回動させられた後、保持部材４と支持部材５との間に設けられた固定手段（図示せず）によって保持部材４に回動不能に固定される。
【００２５】
図１６は、この発明の第６実施の形態を示す。この実施の形態の傘保管装置Ｄにおいては、水受け部１が円形に形成されている。この水受け部１の中央部には、支柱２が鉛直に立設固定されている。この支柱２の上端部には、円板部２ａが設けられている。この円板部２ａの外周面には、円板部２ａから水平方向へ向かって放射状に延びる複数の支持部材５の基端部が固定されている。支持部材５は、円板部２ａの周方向に等間隔に離れて配置されている。円板部２ａの周方向に隣接する二つの支持部材５，５は、円板部２ａの周方向へ互いに離れることにより、水平方向にも互いに離れている。周方向に隣接する二つの支持部材５，５の間隔は、それらの先端側で広く、基端側に向かって漸次狭くなっているが、いずれの箇所においても保持錠８，８間に傘を挿入することができるように定められている。したがって、傘を支持部材５，５間にそれらの先端側から挿入していずれの保持錠８にも保持させることができる。
【００２６】
図１７は、この発明の第７実施の形態を示す。この実施の形態の傘保管装置Ｅは、図１６に示す傘保管装置Ｄを変形したものであり、一直線上に配置された二つの支持部材５，５が一体に形成されている。すなわち、傘保管装置Ｅにおいては、支柱２の上端部に円板部２ａが形成されておらず、支柱２の上端面には、支持部材５，５を一体化したものと同様又はそれより所定長さだけ長い連結支持部材５′の中央部が載置固定されている。連結支持部材５′の支柱２を間にした一端部と他端部との各両側部には保持錠８，８がそれぞれ取り付けられている。これから明かなように、連結支持部材５′の支柱２に固定された中央部から一端部及び他端部がそれぞれ支持部材５になっており、連結支持部材５′の中央部が一端側の支持部材５の基端部と他端側の支持部材５の基端部として共用されている。このように二つの支持部材５，５を連結してその中央部を支柱２又は保持部材４に保持させるという構成は、他の実施の形態、例えば図１、図１４及び図１５に示す実施の形態においても適用可能である。連結支持部材５′の中央部の両側部には、支持部材５，５の基端部がそれぞれ固定されている。
【００２７】
図１８は、この発明に係る傘保管装置に用いるのに好適な保持錠の他の例を示すものである。この保持錠２０においては、本体部２１の背面部に当該背面部を支持部材５の長手方向に横断する取り付け凹部２１ａが形成されており、この取り付け凹部２１ａに支持部材５が挿入された後、本体部２１がビス等によって支持部材５に取り付けられるようになっている。支持部材５の前面は、支持部材５の長手方向とほぼ平行になっており、支持部材５の長手方向における本体部２１の前面の一端部には、保持体２２が設けられている。この保持体２２は、本体部２１の前面から前方へ突出する垂直部２２ａと、この垂直部２２ａの先端部から本体部２１の前面に沿ってその他端側へ水平に延びる水平部２２ｂとを有している。保持体２２の垂直部２２ａ及び水平部２２ｂと本体部２１の前面とにより、上下の両端部が開放されるとともに、本体２１の他端側を向く一側部が開放された保持凹部２３が形成されている。この保持凹部２３には、傘の把手又は中軸が保持凹部２３を上下に貫通した状態で挿入される。
【００２８】
本体部２１の前面の他端側には、窓孔２１ｂが形成されている。この窓孔２１ｂには、開閉体２４が配置されている。この開閉体２４は、本体部２１に出没変位可能に設けられており、その全体が窓孔２１ｂ内に入り込んだ開位置と、一端部が窓孔２１ｂから突出して水平部２２ｂの先端部に極く接近して対向した閉位置との間を回動変位可能になっている。開閉体２４が閉位置に変位すると、把手又は中軸が保持凹部２３から脱出不能になる。
【００２９】
上記保持錠２０を傘保管装置に用いる場合には、保持錠２０を支持部材５に取り付ける。この場合、保持錠２０は、その保持凹部２３の一側開放部が傘保管装置の開放された端面部側を向くように取り付ける。このようにして保持錠２０が取り付けられた傘保管装置においては、傘を開放された端面部から支持部材５，５間に挿入し、保持錠２０の本体部２１の前面に沿って単に移動させることにより、傘の把手又は中軸を保持凹部２３に挿入することができる。把手又は中軸を保持凹部２３に挿入した後、鍵２５を図１４に示す開位置から閉位置までほぼ９０°回動させると、開閉体２４が保持凹部２３の開放部を閉じる。これによって、傘が傘保管装置に保管される。しかも、鍵２５を閉位置に回動させると、鍵２５を鍵穴（図示せず）から抜き取り可能になる。傘保管装置に保管された傘を取り外す場合には、鍵穴に鍵２５を挿入して開位置まで回動させる。すると、開閉体２４が開位置に変位移動して保持凹部２３の開放部を開く。そこで、傘を傘保管装置に挿入したときと逆方向へ移動させることにより、保持凹部２３から抜き出すとともに、開放された端面部を通って支持部材５，５間から脱出させる。
【００３０】
なお、この発明は、上記の実施の形態に限定されるものでなく、適宜変更可能である。
例えば、傘保管装置Ａ，Ｂにおいては、支持部材５を水平に、つまり支持部材５の前後の端部の高さを同一高さにしているが、支持部材５の高さを手前側で低くし、奥側へ向かうにしたがって高くなるように配置してもよい。このように配置すると、奥側に保管された傘が見易くなり、自己の傘を容易に認めることができる。これは、傘保管装置Ｃにおいても同様であり、傘保管装置Ｃの場合には、各支持部材５の高さを、手前側の奥側に向かって段階的に高くすればよい。
また、上記の実施の形態においては、支持部材５の長手方向の端部によって区画される端面部（前端面部６、側端面部１５，１６）の水受け部１より上側又は支柱２の中央部より上側を開放しているが、この発明の効果を得るには、端面部のうちの、保持錠８の本体部９の下面より上側を開放すれば足りる。ただし、傘の上方への移動距離を小さくすることができるよう、少なくとも支柱２の中央部より上側の部分を開放するのが望ましい。
さらに、この発明においては、建物等の躯体の壁部の一部を支柱２として利用することも可能である。その場合には、支柱２として利用された壁部の一部に支持部材５の基端部が支持される。
【００３１】
【発明の効果】
以上説明したように、この発明によれば、傘を傘保管装置に保管させる際に、石突きの先端から滴り落ちる雫によって先に保管された傘の把手が濡てしまうのを防止することができ、しかも身長の低い子供にとっても傘保管装置を容易に利用することができるという効果が得られる。
【図面の簡単な説明】
【図１】この発明の第１実施の形態を示す斜視図である。
【図２】同実施の形態の正面図である。
【図３】同実施の形態の平面図である。
【図４】同実施の形態の側面図である。
【図５】同実施の形態において用いられている保持錠を示す斜視図である。
【図６】この発明の第２実施の形態を示す斜視図である。
【図７】同実施の形態の正面図である。
【図８】同実施の形態の平面図である。
【図９】同実施の形態の側面図である。
【図１０】この発明の第３実施の形態を示す斜視図である。
【図１１】同実施の形態の正面図である。
【図１２】同実施の形態の平面図である。
【図１３】同実施の形態の側面図である。
【図１４】この発明の第４実施の形態の要部を示す平面図である。
【図１５】この発明の第５実施の形態の要部を示す平面図である。
【図１６】この発明の第６実施の形態を示す斜視図である。
【図１７】この発明の第７実施の形態を示す斜視図である。
【図１８】この発明に係る傘保管装置において用いるのに好適な保持錠の他の例を示す斜視図である。
【符号の説明】
Ａ　傘保管装置
Ｂ　傘保管装置
Ｃ　傘保管装置
２　支柱
５　支持部材
６　前端面部（端面部）
８　保持錠
９　錠本体
９ｂ　保持凹部
１０　開閉体
１５　右側端面部（端面部）
１６　左側端面部（端面部）
２０　保持錠
２１　錠本体
２３　保持凹部
２４　開閉体
【図１】
2004081832.tif 000003
【図２】
2004081832.tif 000004
【図３】
2004081832.tif 000005
【図４】
2004081832.tif 000006
【図５】
2004081832.tif 000007
【図６】
2004081832.tif 000008
【図７】
2004081832.tif 000009
【図８】
2004081832.tif 000010
【図９】
2004081832.tif 000011
【図１０】
2004081832.tif 000012
【図１１】
2004081832.tif 000013
【図１２】
2004081832.tif 000014
【図１３】
2004081832.tif 000015
【図１４】
2004081832.tif 000016
【図１５】
2004081832.tif 000017
【図１６】
2004081832.tif 000018
【図１７】
2004081832.tif 000019
【図１８】
2004081832.tif 000020